(57)【特許請求の範囲】
【請求項１】
単一穴エアゾール缶（１００）であって：
下側部分（１０４）と、ステム（１２４）及びスプリング（１３２）を含む上側部分（１０６）を有する缶本体（１０２）；
ハウジング（１０８）；
ノズル（１３４）；
前記缶本体（１０２）内に設けられる内部スリーブ（１１０）：
複数のプラスチックウィング（１１４）を周りに有する吸引チューブ（１１２）；
前記内部スリーブ（１１０）の下端（１１８）に設けられ、内部スリーブ（１１０）から破断するように構成されている取り外し可能ユニット（１１６）；
混合物を前記缶本体（１０２）から排出させるように構成されている浸漬チューブ（１２０）；
を備え、
前記内部スリーブ（１１０）は化学薬品Ａを有し、前記缶本体（１０２）は化学薬品Ｂを有し；
前記混合物は、化学薬品Ａ及び化学薬品Ｂを含むように構成されており；
前記吸引チューブ（１１２）は、前記内部スリーブ（１１０）内に配置され、
前記浸漬チューブ（１２０）はステム（１２４）及び吸引チューブ（１１２）と接続され、前記ステム（１２４）が前記ノズル（１３４）によって作動されると、浸漬チューブ（１２０）及び吸引チューブ（１１２）が下降し、
複数のプラスチックウィング（１１４）の下端から取り外し可能ユニット（１１６）に接触して、前記吸引チューブ（１１２）が取り外し可能ユニット（１１６）を破断する、単一穴エアゾール缶。
【請求項２】
前記ノズル（１３４）は、前記混合物を噴霧するように構成されている、請求項１に記載の単一穴エアゾール缶。
【発明の詳細な説明】
【技術分野】
【０００１】
本発明の実施形態は、エアゾール缶に関し、より詳細には、単一動作技術で二液型化学薬品を混合するとともに化学薬品の混合物を排出させる吸引チューブが一体化された内蔵の内部スリーブを有する、単一穴単一動作エアゾール缶に関する。
【背景技術】
【０００２】
エアゾールスプレーは、液体粒子のエアゾールミストを形成する或る種の吐出システムである。これは、圧力下で液体を収容する缶又はボトルとともに使用される。容器の弁が開くと、液体は小さい穴から押し出され、エアゾール又はミストとして現れる。ガスが膨張してペイロードを送り出すと、幾らかの推進剤のみが缶内で蒸発し、等しい圧力を維持する。缶の外側では、推進剤の液滴は迅速に蒸発し、ペイロードは、非常に細かい粒子又は液滴として浮遊したままとなる。
【０００３】
このように吐出される典型的な液体は、殺虫剤、脱臭剤、塗料等である。噴霧器は、貯蔵されているガスではなく手動のポンプによって加圧される同様の装置である。
【０００４】
最近のエアゾールスプレー製品は、３つの主要なパーツ：缶、弁及びアクチュエータ又はボタンを有する。缶は、通常、鋼又はアルミニウムから作られ、一緒に組み合わせられた金属の２つ又は３つの片から作られることができる。弁は、缶のリグに圧着され、弁の設計が噴霧速度を決める。アクチュエータは、弁を開くようにユーザによって押下され；アクチュエータが解放されるとスプリングが弁を再び閉じる。アクチュエータ内のノズルの形状及びサイズが、エアゾールスプレーの広がりを制御する。換言すると、エアゾール容器の最も一般的なタイプのうちの１つは、鋼又はアルミニウムから作られるシェル、弁、弁から液体製品まで延びる「浸漬チューブ」、及び、圧力下の推進剤（液化ガス）を含む。液体製品は一般的に推進剤と混合される。弁が開くと、この溶液は浸漬チューブを上に移動して弁から出る。推進剤は、雰囲気中に放出されると気化し、微粒子の形態の製品を分散させる。
【０００５】
さらに、主に２つのタイプのエアゾール缶、すなわち、一液型エアゾール缶及び二液型エアゾール缶がある。
【０００６】
特許文献１は、缶胴部、弁を収容するドーム部、内方にアーチ形状の底部、円板部に配置される内部スリーブ、内部スリーブに配置されて内部スリーブを押し破る突き棒であって、円板部によって作動されることが可能である、突き棒を備える、最新式のエアゾール缶のうちの１つを開示している。内部スリーブは、スプリングケージ部を介して円板部に接続され、スプリングケージ部は、突き棒に対して作用するスプリング取り付け解放機構を有する。突き棒は、作動されると、内部スリーブの缶側の端部に配置される蓋に対して作用し、蓋を跳ね飛ばし、隔膜が突き棒と解放機構との間に配置されている。隔膜は、内部スリーブをその底部円板部側の端部において、圧力パックエアゾール缶の内容物に対して密封する。この文献の目的は、圧力パックエアゾール缶の内容物に対して、その内部スリーブによって形成される絶対的に密なユニットを提供することである。
【０００７】
二液型エアゾールシステムの別の改良された加圧ディスペンサが、特許文献２に記載されている。開示されているシステムは、円筒スカート、マンドレル内に配置される弁、ベース、及び、ベースに配置される内部スリーブから構成され、内部スリーブには、円筒スリーブ壁、クロージャ、ベース要素、及び、内部スリーブ内に移動可能に配置されるとともに端部がベース要素を通って突出するプランジャが設けられ、ベース要素は、プランジャ及び保持部分のガイドを有し、保持部分は、加圧ディスペンサのベースを通って延びてベースに固定され、プランジャは、加圧容器の外側に配置される作動要素と協働する。内部スリーブは、ディスペンサの内部とヒートシールフィルムの形態のスリーブスペースとの間での圧力平衡のための少なくとも１つの弾性ゾーンを有し、ヒートシールフィルムは、材料のひだの形態の材料の予備、又は、外部からの圧力の影響下でヒートシールフィルムが内部スリーブの内部に内方へ撓むことを可能にする隆起部を有する。開示されている加圧ディスペンサの目的は、内部スリーブに種々のパーツを容易に取り付けることを可能にするとともに、内部スリーブのクロージャの確実な分離を達成することである。
【０００８】
簡潔にするために、一液型エアゾール缶については本明細書では説明されていない。
【０００９】
上述した二液型エアゾール缶及び既存の一液型エアゾール缶には、多くの限界及び不都合点がある。従来の一液型エアゾール缶は、加圧缶内の硬化剤及び樹脂を混合することが可能ではなく、したがって、性能が限られている。さらに、スプレーガンシステム又はエアコンプレッサを使用して二液性／二成分／二液型の化学薬品を混合する従来の方法は、面倒であり難しい。既存の二液型エアゾール缶では、ユーザは、エアゾール缶を逆さまにし、底部弁のマンドレルを押下し、缶内で内部スリーブの膜を破断又は破裂させる必要がある。また、ユーザが、缶内部の内部スリーブが下端の押下時に破裂し、缶内に収容されている化学薬品が適切に排出されたか否かを判断することが難しい。この限界に起因して、ユーザは、内部スリーブ内の化学薬品のうちの一方が缶本体内の他方の化学薬品と混合されるように適切に排出されない、二液型製品としての最終的な結果を得る確信を得ることができない。さらに、既存の製品は、ドーム及びコーンのそれぞれの２つの異なる弁に直接充填することを必要とする。
【先行技術文献】
【特許文献】
【００１０】
【特許文献１】米国特許第７２０４３９２号
【特許文献２】欧州特許第２０１３１１５号
【発明の概要】
【発明が解決しようとする課題】
【００１１】
したがって、従来技術では、上述した問題及び欠点を克服する改良されたエアゾール缶を有することが依然として必要とされている。
【００１２】
しかし、当該技術分野では、二液型化学薬品を混合するとともに、混合物を一穴エアゾール缶によって排出させる簡便な方法を提供する改良されたエアゾール缶が依然として必要とされている。さらに、液体の排出時に、内部スリーブ及び缶本体内の２つの化学薬品が混合されたことが分かりやすく示される。また、改良されたエアゾール缶は、加圧缶内で二液性又は二成分又は二液型の化学薬品を混合することを可能にする。
【課題を解決するための手段】
【００１３】
本発明の実施形態は、内蔵の吸引チューブを有する内部スリーブが備え付けられた、単一穴単一動作エアゾール缶を提供することを目的とする。内部スリーブには、二液型化学薬品の混合及び排出を単一動作で行うために吸引チューブが一体化されている。また、提案される単一穴単一動作エアゾール缶は、ユーザが、内部スリーブ及び缶本体内で２つの化学薬品が適切に混合されたことを正確に判断することを可能にする。単一穴単一動作エアゾール缶には、請求項１の特徴部が設けられるが、本発明はさらに、請求項１の特徴部の任意の組み合わせが可能である。
【００１４】
本発明の一実施形態によると、単一穴単一動作エアゾール缶は、下側部分及び上側部分を有する缶本体、ハウジング、吸引チューブ、及び、吸引チューブの周りに配置される複数のプラスチックウィングを有する内部スリーブを備える。さらに、単一穴単一動作エアゾール缶は、取り外し可能ユニット、及び、混合物を缶本体から排出させるように構成されている浸漬チューブを備える。缶本体の上側部分は、ステム、外側ガスケット、内側ガスケット、取り付けカップ、スプリング及びノズルを備える。内部スリーブは化学薬品Ａを有し、缶本体は化学薬品Ｂを有する。混合物は、化学薬品Ａ及び化学薬品Ｂを含むように構成されている。さらに、内部スリーブには、単一動作で化学薬品Ａ及び化学薬品Ｂを混合するとともに混合物を缶本体から排出させる吸引チューブが一体化される。
【００１５】
本発明の一実施形態によると、浸漬チューブは、マンドレルとして働くように構成されており、ステムによる作動時に内部スリーブを破裂させる。
【００１６】
本発明の一実施形態によると、ステムはノズルによって作動される。
【００１７】
本発明の一実施形態によると、ノズルは、混合物を噴霧するように構成されている。
【００１８】
本発明の一実施形態によると、取り付けカップは、カップ下ガス充填方法を使用することによって加圧ガスを充填するとともに、ハウジングを圧着するように構成されている。
【００１９】
本発明の一実施形態によると、取り外し可能ユニットは内部スリーブの一部である。
【００２０】
本発明は、本明細書において、実施形態及び例示的な図面を使用して例として記載されるが、当業者は、本発明が、記載される図面（単数又は複数）の実施形態に限定されず、種々の構成要素の縮尺比を表すことは意図しないことを認識するであろう。さらに、本発明の一部を形成することができる幾つかの構成要素は、説明を容易にするために、特定の図面には示されていない場合があり、そのような省略は、概説される実施形態を決して限定するものではない。図面及びその詳細な説明は、本発明を、開示される特定の形態に限定する意図はなく、それどころか、本発明は、添付の特許請求の範囲によって規定されるような本発明の範囲内に入る全ての変更形態（複数の場合もあり）、均等物（複数の場合もあり）及び代替形態（複数の場合もあり）を包含することを理解されたい。本明細書において用いられる見出しは、専ら体系化する目的であり、本明細書又は特許請求の範囲の範囲を限定するように用いられる意図はない。本明細書を通して用いられる場合、「してもよい（ｍａｙ）」という用語は、強制的な意味（すなわち、〜しなければならないを意味する）ではなく、許容する意味（すなわち、〜する可能性を有するを意味する）で用いられる。さらに、「１つの（“ａ”又は“ａｎ”）」という用語は、別途言及されない限り、「少なくとも１つ」を意味する。さらに、本明細書において用いられる専門用語及び表現は、単に説明するために用いられ、範囲を限定するものとして解釈されるべきではない。「含む」、「備える」、「有する」、「収容する」又は「伴う」及びそれらの変形形等の文言は、広範であることが意図され、その前に列挙される主題、均等物、及び、記載されない付加的な主題を包含し、他の添加物、構成要素、整数又はステップを排除することは意図されない。同様に、「備える」という用語は、適用可能な法律上の目的で「含む」又は「収容する」という用語と同義であるものと考えられる。文書、動作、材料、装置、物品等の何らかの説明は、単に本発明の背景を提供する目的で本明細書に含まれる。これらの項目のいずれか若しくは全てが従来技術の基礎の一部を形成するか、又は、本発明に関連する分野における共通一般知識であったことを示唆するか又は表すものではない。
【００２１】
本開示では、組成物又は要素又は要素の群が「備える」という移行句の前に記載されるときはいつでも、その組成物、要素又は要素の群の記載の後に記載される（逆もまた同様）「からなる（“ｃｏｎｓｉｓｔｉｎｇ  ｏｆ”、“ｃｏｎｓｉｓｔｉｎｇ”）」、「からなる群から選択される」、「含む」又は「である」という移行句を伴う同じ組成物、要素又は要素の群も意図することが理解される。
【００２２】
図面及び本発明を実施する最良の形態の説明
本発明の上記で記載した特徴を詳細に理解することができるように、上記で簡潔に概説された本発明のより詳細な説明を、実施形態を参照して行うことができ、そのうちの幾つかが添付の図面に示されている。しかし、添付の図面は本発明の典型的な実施形態のみを示しており、したがって、本発明が他の同様に効果的な実施形態が可能であり得るように、その範囲を限定するものとみなされるべきではないことが留意される。
【００２３】
本発明のこれら及び他の特徴、恩恵及び利点は、同様の参照符号が図面にわたって同様の構造を指す以下の図面を参照することによって明らかとなるであろう。
【図面の簡単な説明】
【００２４】
【図１】本発明の一実施形態による単一穴単一動作エアゾール缶を示す図である。
【図２】図１の単一穴単一動作エアゾール缶の機能を示す図である。
【発明を実施するための形態】
【００２５】
以下、本発明を、添付の図面を参照して種々の実施形態によって説明するが、添付の図面において用いられる参照符号は、本明細書を通して同様の要素に対応する。しかし、本発明は、多くの異なる形態で具現してもよく、本明細書において記載される実施形態に限定されるものとして解釈されるべきではない。むしろ、実施形態は、本開示が徹底的及び完全であり、当業者に本発明の範囲を十分に伝えるように提供される。以下の詳細な説明では、記載される実施態様の種々の態様のために数値及び範囲が提供される。これらの値及び範囲は、専ら例として扱われるべきであり、特許請求の範囲の範囲を限定することは意図しない。加えて、実施態様の種々の様相に好適であるものとして多くの材料が特定される。これらの材料は、例示的であるものとして扱われるべきであり、本発明の範囲を限定する意図はない。
【００２６】
本発明の実施形態は、エアゾール塗料の特徴及び品質を改善するために、内蔵の吸引チューブを有する内部スリーブが備え付けられた単一穴単一動作エアゾール缶を提供することを目的とする。内部スリーブには、単一動作で二液型化学薬品を混合及び排出するための吸引チューブが一体化される。また、提案される単一穴単一動作エアゾール缶は、内部スリーブ及び缶本体内の２つの化学薬品が適切に混合されたことをユーザが正確に判断することを可能にする。
【００２７】
ここで、図面を参照して、本発明をより詳細に説明する。本発明の一実施形態によると、図１に示されているような単一穴単一動作エアゾール缶（１００）は、缶本体（１０２）、ハウジング（１０８）、内部スリーブ（１１０）、取り外し可能ユニット（１１６）及び浸漬チューブ（１２０）を備える。
【００２８】
缶本体（１０２）は下側部分（１０４）及び上側部分（１０６）を有する。さらに、缶本体（１０２）は、限定はされないが、円筒の形状を有し、缶本体（１０２）は、限定はされないが、金属又は合金から作られる。また、缶本体（１０２）は化学薬品Ｂを有し、この場合、化学薬品Ｂは、限定はされないが樹脂である。
【００２９】
缶本体（１０２）の上側部分（１０６）は、ステム（１２４）、外側ガスケット（１２６）、内側ガスケット（１２８）、取り付けカップ（１３０）、スプリング（１３２）及びノズル（１３４）を備える。上側部分（１０６）のパーツの特徴及び機能は、当業者には明らかであり、したがって、簡潔にするために詳細には記載されていない。
【００３０】
ノズル（１３４）は、混合物を噴霧するとともにステム（１２４）を作動させるように構成されている。
【００３１】
内部スリーブ（１１０）には、吸引チューブ（１１２）、及び、当該吸引チューブ（１１２）の周りに配置される、複数のプラスチックウィング（１１４）が設けられる。さらに、内部スリーブ（１１０）は、限定はされないが、金属又は合金又はプラスチック等の好適な材料から製造してもよい。さらに、内部スリーブ（１１０）は、単一穴単一動作エアゾール缶（１００）の構造的要件に従って所望の形状及び構造を有してもよい。また、内部スリーブ（１１０）は化学薬品Ａを有し、この場合、化学薬品Ａは、限定はされないが硬化剤である。
【００３２】
取り外し可能ユニット（１１６）は、内部スリーブ（１１０）の下端（１１８）に設けられ、缶本体（１０２）の下側部分（１０４）に位置付けられる。しかし、取り外し可能ユニット（１１６）の位置は、単一穴単一動作エアゾール缶（１００）の構造的要件に従って缶本体（１０２）内に位置決めしてもよい。さらに、取り外し可能ユニット（１１６）は、内部スリーブ（１１０）から破断するように構成されている。
【００３３】
浸漬チューブ（１２０）は、混合物を上記缶本体（１０２）から排出するように構成されている。さらに、浸漬チューブ（１２０）は、ステム（１２４）及び吸引チューブ（１１２）と接続されマンドレルとして働くように構成されており、ステム（１２４）による作動時に吸引チューブ（１１２）を下降させて内部スリーブ（１１０）を破裂させ、ステム（１２４）はノズル（１３４）によって作動される。また、浸漬チューブ（１２０）は、限定はされないが金属又は合金から作られる。
【００３４】
本発明の一実施形態によると、浸漬チューブ（１２０）は、浸漬チューブの一体部分として曲げチューブを含んでもよい。さらに、曲げチューブは、内部スリーブ（１１０）内で折り曲げられ、全ての化学薬品を缶本体（１０２）から排出させるように構成されている。
【００３５】
取り付けカップ（１３０）は、カップ下充填方法を使用することによって加圧ガスを充填することができ、かつハウジング（１０８）と圧着されるように構成されている。
【００３６】
図２は、図１の単一穴単一動作エアゾール缶（１００）の動作を示している。図２に示されているように、ノズル（１３４）は、ユーザによって押下されると、ステム（１２４）を作動する。その後、マンドレルは吸引チューブ（１１２）を作動させ、複数のプラスチックウィング（１１４）の下端から取り外し可能ユニット（１１６）に接触して、取り外し可能ユニット（１１６）を、缶本体（１０２）の壁のうちの１つに向かって移動させる。取り外し可能ユニット（１１６）の移動によって（分解図Ｅに示されているように）取り外し可能ユニットが破断し、内部スリーブ（１１０）内に収容されている化学薬品Ａを缶本体（１０２）に放出させる。次に、ユーザは、缶本体（１０２）内に収容されている化学薬品Ａ及び化学薬品Ｂを混合するために、缶を逆さまにするのではなく、単一穴単一動作エアゾール缶（１００）を振る必要がある。混合時に、化学薬品Ａ及び化学薬品Ｂの混合物（Ａ＋Ｂ）は、吸引チューブ（１１２）を通して単一穴単一動作エアゾール缶（１００）から排出される。混合するとともに混合物を排出させるステップは、同時に行われ、したがって、エアゾール塗料の品質を高める。
【００３７】
上述した単一穴単一動作エアゾール缶は、既存の二液型エアゾール缶及び一液型エアゾール缶の問題及び欠点を克服し、これらに勝る多くの利点を提供する。提案される単一穴単一動作エアゾール缶は、一液型製品に比して高品質で専門家向けの結果、例えば、優れた耐摩耗性、耐溶剤性及び耐薬品性、最大源の耐久性等を提供する。さらに、一穴エアゾール缶によって二液型化学薬品を混合するとともに最終的な混合された化学薬品を排出させる開示される単一動作は、単純でより便利な方法をユーザに提供する。単一動作は、ユーザが、加圧缶内の二液性又は二成分又は二液型の化学薬品を混合することを可能にする。上記単一穴単一動作によって、ユーザは、缶を逆さまにする必要はなく、ただマンドレルに接続する上部弁のノズルを押下して内部スリーブを破断又は破裂させ、缶内の二液性の化学薬品（例えば硬化剤＋樹脂）を混合するように振ればよい。また、開示される単一穴単一動作エアゾール缶は、混合物の排出時に、内部スリーブ及び缶本体内の２つの化学薬品が混合されたことを単純に示す。
【００３８】
開示される単一穴単一動作エアゾール缶の上述した利点に加えて、提案される単一穴単一動作エアゾール缶は、以下の重要な利点／特徴を含む：
・処理、製造及び仕事の取扱いのコストを低減する。
・単一の穴を通した１回の混合及び排出。
・内蔵の吸引チューブを有する内部スリーブ。
・缶本体内に加圧ガスを満たすためにカップ下ガス充填方法を使用する。
・エアゾール塗料の特徴／品質を高める。
・二液型化学薬品の塗布を改善し、二液型化学薬品を混合する方法が、エアコンプレッサ又はスプレーガン又はドーム及びコーンシステム上の２構成要素２穴の使用に比して容易になる。
【００３９】
上述した例示的な実施態様は、特定の形状、寸法及び他の特徴を有して示されているが、本発明の範囲は、種々の他の形状、寸法及び特徴も含む。例えば、缶本体の特定の形状及びサイズ、並びに、缶本体と、内部スリーブ、複数のプラスチックウィングとの取り付け、内部スリーブの形状、並びに、取り外し可能ユニットの位置である。また、内部スリーブ、浸漬チューブ、吸引チューブ、マンドレルへの構成要素の種々の取り付け及び配置等である。本発明において記載されるような構成要素は、種々の他の方法で製造することができ、種々の他の材料を含むことができる。
【００４０】
同様に、上述した例示的な実施態様は、エアゾール塗料の特徴及び品質が高められるという説明を含む。さらに、二液型化学薬品の塗布及びこれらの混合も改善する。
【００４１】
これらの実施形態に対する種々の変更形態が、明細書及び添付の図面から当業者には明らかである。本明細書において記載される種々の実施形態に関連する原理は、他の実施形態に適用してもよい。したがって、本明細書は、添付の図面とともに示されている実施形態に限定される意図はなく、本明細書において開示又は示唆される原理並びに新規かつ進歩性のある特徴に一致する最も広範な範囲を提供することを意図する。したがって、本発明は、本発明及び添付の特許請求の範囲の範囲内に入る全ての他のそのような代替形態、変更形態及び変形形態を保持することが予見される。
【図１】
0006539662.tif 000002
【図２】
0006539662.tif 000003